(57)【要約】【課題】オートフォーカスで合焦が困難な被写体に対し、合焦した映像を容易に撮影できるオートフォーカス機能を有する光学装置を提供する。【解決手段】光学装置は、光軸方向に可動で焦点距離を変更するフォーカス変更手段と、該フォーカス変更手段を駆動するフォーカス駆動手段と、該フォーカス変更手段の光軸方向の位置を検出するフォーカス位置検出手段と、合焦状態を検出する合焦状態検出手段と、合焦状態に基づきフォーカス変更手段の合焦位置を演算する第１の演算手段と、被写体を選択する手段と、被写体に対し第１の演算手段により演算されたフォーカス変更手段の位置及びオフセット距離に基づき、被写体の位置に対しオフセット距離だけ異なる位置に合焦するフォーカス変更手段の位置を演算する第２の演算手段と、を有し、フォーカス駆動手段は、第２の演算手段で演算した位置にフォーカス変更手段を駆動する。【選択図】図３
2011154283.tif 000002
【特許請求の範囲】
【請求項１】
光学装置は、
鏡筒内を光軸方向に移動可能であり、フォーカスを調整するフォーカス変更手段と、
該フォーカス変更手段を駆動するフォーカス駆動手段と、
該フォーカス変更手段の該光軸方向における位置を検出するフォーカス位置検出手段と、
合焦状態を検出する合焦状態検出手段と、
該合焦状態検出手段により検出された合焦状態に基づき、合焦する該フォーカス変更手段の位置を演算する第１の演算手段と、
第１の被写体を選択する手段と、
該第１の被写体に対し該第１の演算手段により演算された該フォーカス変更手段の第１の位置及びオフセット距離に基づき、該第１の被写体の物体距離に対し該オフセット距離だけ異なる物体距離に合焦する該フォーカス変更手段の第２の位置を演算する第２の演算手段と、
を有し、
該フォーカス駆動手段は、該第２の演算手段で演算した該第２の位置に該フォーカス変更手段を駆動する、
ことを特徴とする光学装置。
【請求項２】
前記オフセット距離を設定するオフセット距離設定手段を有することを特徴とする請求項１に記載の光学装置。
【請求項３】
前記光学装置は、
前記オフセット距離の基準となる基準距離を設定する距離設定手段と、
該基準距離を微調整する調整距離を演算する手段と、
をさらに有し、
該調整距離と該基準距離に基づいて前記オフセット距離を演算し設定する、
ことを特徴とする請求項１に記載の光学装置。
【請求項４】
前記光学装置は、
第２の被写体を選択する手段と、
前記調整距離を演算する第３の演算手段と、
をさらに有し、
該第２の被写体に対して前記第１の演算手段で演算した該フォーカス変更手段の第３の位置と、該第２の位置との差が所定の範囲内である場合は、前記フォーカス駆動手段は、該第２の位置ではなく該第３の位置に該フォーカス変更手段を駆動するとともに、該第３の演算手段は、前記物体距離と該第２の被写体の物体距離の差を演算し該調整距離に設定する、
ことを特徴とする請求項３に記載の光学装置。
【請求項５】
前記光学装置は、前記フォーカス変更手段を駆動する速度を設定する速度設定手段をさらに有し、
該フォーカス駆動手段は、該フォーカス変更手段を該速度設定手段で設定した速度で駆動する、
ことを特徴とする請求項１乃至４のいずれか１項に記載の光学装置。
【請求項６】
前記第２の演算手段、又は前記第３の演算手段は、前記フォーカス変更手段の位置と物体距離の関係を示した離散的な表を用いる、ことを特徴とする請求項１乃至５のいずれか１項に記載の光学装置。
【請求項７】
前記第２の演算手段、又は前記第３の演算手段は、前記フォーカス変更手段の位置と物体距離の関係を示す演算式を用いる、ことを特徴とする請求項１乃至５のいずれか１項に記載の光学装置。
【発明の詳細な説明】
【技術分野】
【０００１】
本発明は、光学装置に関し、特にオートフォーカスを有する光学装置に関するものである。
【背景技術】
【０００２】
従来、オートフォーカスを用いて合焦動作を行う時、焦点が結像する状態を調整する技術が提案されている。
特許文献１には、焦点評価値を所定の関数で変換し、合焦動作を行うフォーカス移動群の位置を微調整することで、焦点が結像する状態を調整する技術が開示されている。
特許文献２には、焦点はずれ量を検出するデフォーカス量検出手段の校正値を補正することで、焦点が結像する状態を調整する技術が開示されている。
【先行技術文献】
【特許文献】
【０００３】
【特許文献１】特開2007-127948号公報
【特許文献２】特開2001-174690号公報
【発明の概要】
【発明が解決しようとする課題】
【０００４】
例えば、ある地点に固定された撮像装置を用いて、移動する車を運転する運転手を撮影すると仮定する。車の運転手の前には、車のフロントウィンドウが存在するため、オートフォーカスを用いて合焦動作を行う時、車のフロントウィンドウや、車のフロントウィンドウに写った景色に合焦してしまう事がある。
このような合焦が困難な被写体を撮影するため、まず、合焦が容易な被写体、例えば車のナンバープレートにオートフォーカスを用いて合焦動作を行う。そして、上述の特許文献に開示された従来技術を用いて、焦点が結像する状態を調整することで、車の運転手に合焦することが可能となる。
【０００５】
しかしながら、オートフォーカスを用いて合焦動作を行う被写体までの距離が異なると、焦点が結像する状態を調整する値は異なる値となる。そのため、車が移動して撮像装置と車の間の距離が変化した場合、再度、焦点が結像する状態を調整する必要性が生じてしまう。
【０００６】
本発明の目的は、オートフォーカスを用いて合焦が困難な被写体に対し、合焦した映像を容易に撮影することを可能にした、オートフォーカスを有する光学装置を提供することである。
【課題を解決するための手段】
【０００７】
上記目的を達成するために、本発明に係る光学装置は、鏡筒内を光軸方向に移動可能であり、フォーカスを調整するフォーカス変更手段と、該フォーカス変更手段を駆動するフォーカス駆動手段と、該フォーカス変更手段の該光軸方向における位置を検出するフォーカス位置検出手段と、合焦状態を検出する合焦状態検出手段と、該合焦状態検出手段により検出された合焦状態に基づき、合焦する該フォーカス変更手段の位置を演算する第１の演算手段と、第１の被写体を選択する手段と、該第１の被写体に対し該第１の演算手段により演算された該フォーカス変更手段の第１の位置及びオフセット距離に基づき、該第１の被写体の物体距離に対し該オフセット距離だけ異なる物体距離に合焦する該フォーカス変更手段の第２の位置を演算する第２の演算手段と、を有し、該フォーカス駆動手段は、該第２の演算手段で演算した該第２の位置に該フォーカス変更手段を駆動する、ことを特徴とする。
【発明の効果】
【０００８】
本発明によれば、合焦が困難な被写体と容易な被写体の間の距離を設定し、容易な被写体に対しフォーカス調整を行った後、設定した距離を考慮した位置にフォーカス移動群を移動する。本発明の構成を有することにより、オートフォーカスを用いて合焦が困難な被写体に対し、合焦した映像を容易に撮影することを可能にした、オートフォーカスを有する光学装置を提供することができる。
【図面の簡単な説明】
【０００９】
【図１】実施例１の装置構成を示すブロック図
【図２】実施例１の距離操作部を示す図
【図３】実施例１における（ａ）主被写体とＡＦ被写体の関係を示す説明図、（ｂ）主被写体とＡＦ被写体とＡＦ被写体枠の関係を示す説明図
【図４】実施例１におけるフォーカス移動群の駆動処理を示すフローチャート
【図５】駆動フォーカス位置を決めるための表の一例
【図６】実施例２の装置構成を示すブロック図
【図７】実施例２の距離操作部を示す図
【図８】実施例２における（ａ）主被写体とＡＦ被写体の関係を示す説明図、（ｂ）主被写体と主被写体枠とＡＦ被写体とＡＦ被写体枠の関係を示す説明図
【図９】実施例２におけるフォーカス移動群の駆動処理を示すフローチャート
【発明を実施するための形態】
【００１０】
以下に、本発明の好ましい実施の形態を、添付の図面に基づいて詳細に説明する。
【実施例１】
【００１１】
以下、図１を参照して、本発明の第１の実施例によるオートフォーカス装置の構成について説明する。
【００１２】
本実施例のオートフォーカス装置は、鏡筒内を光軸方向に移動可能でフォーカスを調整するフォーカス変更手段としてのフォーカス移動群１、分岐光学系１０、撮像部３０、合焦状態検出手段としての焦点検出部１１を有する。フォーカス移動群１を通過した光束は、分岐光学系１０にて２つの光束に分割される。分割された光束の一方は撮像部３０に結像し、他方は焦点検出部１１に結像する。
【００１３】
フォーカス移動群１はフォーカス駆動手段としてのフォーカス駆動部２により駆動され、フォーカス移動群２の位置はフォーカス位置検出部３により検出される。フォーカス移動群１を光軸方向に移動させることにより、撮像部３０上での結像状態を調整することが可能である。焦点検出部１１は、焦点検出部１１上に結像した光束から、撮像部３０上での結像状態を示す合焦状態を判別する。
【００１４】
演算部２０は、フォーカス駆動部２に駆動信号を出力し、フォーカス移動群１を駆動する。
また、演算部２０には、フォーカス位置検出部３が接続されており、フォーカス移動群１の位置を確認することが可能である。
演算部２０は、合焦状態検出部１１が接続され、撮像部３０の合焦状態を確認することができる。演算部２０は、合焦状態に基づき、任意の被写体に合焦するフォーカス移動群１の位置を算出してフォーカス駆動部２に出力し、オートフォーカス動作を行うことができる。
記憶部２１は演算部２０に接続され、演算部２０で使用するデータを記憶する。
距離操作部２２は、演算部２０に接続されており、演算部２０は距離操作部２２から後述する設定距離αを取得する。
【００１５】
図２に第１の実施例における、距離操作部２２の一例を示す。距離操作部２２には、物体距離としての設定距離αを設定する距離設定部２３（オフセット距離設定手段）と、距離変更動作の有効／無効を切換える距離変更ＯＮ／ＯＦＦスイッチ２５が構成されている。
【００１６】
以下、図３を参照して、本発明の第１の実施例における、主被写体とＡＦ被写体とＡＦ被写体枠の関係を説明する。なお本説明図は、ある地点に固定された撮像装置を用い、移動する自動車を運転する運転手（主被写体）４０を撮影することを仮定したものである。撮像装置からは、主被写体（運転手）４０は、自動車のフロントウィンドウ４１越しに見える。以下、自動車のナンバープレートをＡＦ被写体４２、第１の被写体を選択する手段としてのＡＦ被写体枠４３として説明する。
【００１７】
ＡＦ被写体枠４３は、撮像部３０で撮影した撮影画像に対し、任意の位置、大きさで配置される。また、演算部２０は、第１の被写体としてのＡＦ被写体枠４３の内部にある物体に対して、第１の演算手段としてのオートフォーカス動作を行うことが可能である。
【００１８】
移動する自動車の外側から主被写体４０を対象にオートフォーカスで撮影する時、自動車のフロントウィンドウ４１や、フロントウィンドウ４１に写った景色に合焦してしまうことがある。つまり主被写体４０は合焦が困難な被写体である場合がある。一方、ＡＦ被写体４２であるナンバープレートは、ナンバープレートと撮像装置の間に遮蔽物もなく、コントラスト比も高いため、合焦が容易な被写体である。
【００１９】
そこで、ＡＦ被写体４２である自動車のナンバープレートがＡＦ被写体枠内４３に入るよう、ＡＦ被写体枠４３を配置する。そして、ＡＦ被写体４２に対してオートフォーカス動作を行い、ＡＦ被写体４２に合焦するフォーカス移動群１の位置を算出し、フォーカス移動群の第１の位置（ＡＦフォーカス位置）と設定する。
【００２０】
次に、距離設定部２３は、主被写体４０とＡＦ被写体４２の間の光軸方向における距離を設定距離αに設定する。
【００２１】
そして、ＡＦフォーカス位置に対し、設定距離αだけ位置を変更した、フォーカス移動群の第２の位置（駆動フォーカス位置）を求める。フォーカス駆動部２を用いてフォーカス移動群１を駆動フォーカス位置に駆動することにより、主被写体４０に対し合焦することが可能となる。この動作により、合焦が困難な被写体である主被写体４０に対し、容易に合焦することが可能となる。
【００２２】
これら動作を実現するための詳細な処理を、図４のフローチャート、及び図５の駆動フォーカス位置を決めるための表の一例を参照して説明する。
この処理は、演算部２０に格納されたコンピュータプログラムに従って行われる。このフォーカス駆動処理は演算部２０にて一定の周期毎に行われる。
ステップＳ１０１では、演算部２０のフォーカス駆動処理が開始され、ステップＳ１０２に進む。
ステップＳ１０２では、ＡＦ被写体に対してオートフォーカス動作を行い、ＡＦフォーカス位置を決定し、ステップＳ１０３に進む。
ステップＳ１０３では、距離変更ＯＮ／ＯＦＦスイッチ２５がＯＮかＯＦＦかの確認を行い、ＯＮの場合はステップＳ１０４に進み、ＯＦＦの場合はステップＳ１０５に進む。
ステップＳ１０４では、距離設定部２３で設定された、主被写体４０とＡＦ被写体４２の間の設定距離αを取得し、ステップＳ１０６に進む。
ステップＳ１０５では、フォーカス駆動部２を用いてフォーカス移動群１を駆動する駆動フォーカス位置に、ステップＳ１０２で決定したＡＦフォーカス位置を設定し、ステップＳ１０７に進む。
ステップＳ１０６では、主被写体に対する駆動フォーカス位置を演算し、ステップＳ１０７に進む。
【００２３】
ここで、主被写体に対する駆動フォーカス位置を演算する第２の演算手段について説明する。この演算では、図５に一例を示す駆動フォーカス位置を決めるための表を使用する。この表は、記憶部２１に記憶されており、フォーカス位置検出部３で検出されるフォーカス移動群１の位置と、その時に撮像部３０に結像する被写体の物体距離の関係を表したものである。また、ＡＦフォーカス位置と駆動フォーカス位置の差である距離値として設定距離αを設定し、距離値（オフセット距離）ａとする。
距離値ａ＝設定距離α
まず、演算部２０は、記憶部２１から、図５の表データを読込む。そして、この表データのフォーカス位置（フォーカス移動群の位置）から、ステップＳ１０２で求めたＡＦフォーカス位置に相当する部分を選択し、物体距離ｂを求める。
次に、物体距離ｂに距離値ａを加算し、物体距離ｃを求める
物体距離ｃ＝物体距離ｂ＋距離値ａ
そして、図５に示す表データのフォーカス位置（フォーカス移動群の位置）から、物体距離ｃに相当する部分を選択し、駆動フォーカス位置とする。
【００２４】
なお、本実施例においては、フォーカス変更手段の位置と物体距離の関係を離散的なデータとして有する表を用いた導出方法を示したが、演算式を用いて駆動フォーカス位置を算出しても良い。
【００２５】
ステップＳ１０７では、駆動フォーカス位置にフォーカス駆動部２を用いてフォーカス移動群１を駆動し、ステップＳ１０８に進む。
ステップＳ１０８では、フォーカス駆動処理を終了する。
【００２６】
このように処理をおこなうことにより、距離変更ＯＮ／ＯＦＦスイッチ２５がＯＮの時は、合焦が困難な被写体である主被写体４０に対し、容易に合焦することが可能となる。また、距離変更ＯＮ／ＯＦＦスイッチ２５がＯＦＦの時は、一般的な動作である、ＡＦ被写体枠内の物体に合焦することが可能となる。
【００２７】
本実施例では、自動車の運転手を主被写体４０、ナンバープレートをＡＦ被写体４２としたが、主被写体４０をコントラストの低い被写体に設定し、ＡＦ被写体４２をコントラストの高い被写体に設定する場合や、主被写体４０をマイクを持って歌う人の顔に設定し、ＡＦ被写体４２をマイクに設定する場合、等においても本発明は有効である。
【００２８】
本発明によれば、合焦が困難な被写体と容易な被写体の間の距離を設定し、容易な被写体に対しオートフォーカス動作を行った後、設定した距離を考慮した位置にフォーカス移動群を移動する。それにより、オートフォーカスを用いて合焦が困難な被写体に対し、合焦した映像を容易に撮影することを可能にした、オートフォーカスを有する光学装置を提供することができる。
【実施例２】
【００２９】
以下、図６を参照して、本発明の第２の実施例による装置の構成について説明する。
第２の実施例の装置においては、第１の実施例の装置の構成に加え、ズーム移動群４と、ズーム移動群４の駆動を行うズーム駆動部５と、ズーム移動群４の位置の検出を行うズーム位置検出部６をさらに有する。さらに、演算部２０にはズーム操作部２３が接続され、ズーム操作部２３の駆動指令に伴い、ズーム駆動部５を用いてズーム移動群４を駆動できることが、第１の実施例と異なる。
被写体からの光束は、フォーカス移動群１を通過してから、ズーム移動群４を通過し、分岐光学系１０にて２つの光束に分割される。この光束の一方は撮像部３０に結像し、もう一方は焦点検出部１１に結像する。
演算部２０には、ズーム駆動部５が接続されており、ズーム移動群４の駆動を行うことが可能である。また、演算部２０には、ズーム位置検出部６が接続されており、ズーム移動群４の位置を確認することが可能である。
上記以外の構成は、実施例１の図１に示した構成と同一である。
【００３０】
図７に、第２の実施例における距離操作部２２を示す。距離操作部２２には、設定距離α（基準距離）を設定する手段としての距離設定部２３（基準距離設定手段）、フォーカス移動群１を駆動する速度（後述する設定速度Ａ）を設定する手段としての速度設定部２４、距離変更ＯＮ／ＯＦＦスイッチ２５が構成されている。速度設定部２４において設定速度Ａを設定することにより、所望の速度でフォーカス移動群１を駆動することが可能となる。
以上の構成以外は、実施例１の図２の構成と同一である。
【００３１】
以下、図８を参照して、本発明の第２の実施例による、主被写体と主被写体枠とＡＦ被写体とＡＦ被写体枠の関係について説明する。
【００３２】
第２の被写体を選択するための枠である主被写体枠４４は、撮像部３０で撮影した撮影画像に対し、任意の位置、大きさで配置される。また、演算部２０は、主被写体枠４４の内部にある物体に対して、第１の演算手段としてのオートフォーカス動作を行うことが可能である。
【００３３】
上記以外の主被写体４０とＡＦ被写体４２とＡＦ被写体枠４３の関係については、実施例１の図３を用いて説明したものと同一である。
【００３４】
本実施例では、ＡＦ被写体４２がＡＦ被写体枠４３の内側になると同時に、主被写体４０が主被写体枠４４の内側になるように、ＡＦ被写体枠４３及び主被写体枠４４を配置する。その際、ズーム操作部２３から駆動指令を与え、ズーム移動群４の位置の変更を行うことで、枠から被写体が外れないように撮影者が操作を行うことが可能である。また、画像認識技術を用い、被写体に対して枠を自動的に追尾するよう制御しても良い。
【００３５】
実施例１においては、主被写体４０とＡＦ被写体４２の間の距離（オフセット距離）ａを設定距離αとして一定値で取り扱ったが、このオフセット距離ａは、ある幅をもって変化することがある。本実施例では、この幅を微調整する加減算距離（調整距離）βとして設定し、加減算距離βを自動的に補正することで、主被写体４０の位置が変化した場合にも、常に主被写体４０に合焦し続けることが可能となる。
【００３６】
これら動作を実現するための詳細な処理を、以下、図９のフローチャートを参照して説明する。
この処理は、演算部２０に格納されたコンピュータプログラムに従って行われる。なおこのフォーカス駆動処理は演算部２０にて一定の周期毎に行われる。
ステップＳ２０１〜Ｓ２０２の動作は、実施例１で示したステップＳ１０１〜Ｓ１０２の動作と同一であるので、説明を省略する。
【００３７】
ステップＳ２１１では、主被写体４０が主被写体枠４４内に入るように配置された主被写体枠４４においてオートフォーカス動作を行い、フォーカス移動群の第３の位置（主被写体フォーカス位置）を決定し、ステップＳ２０３に進む。
【００３８】
ステップＳ２０３では、距離変更ＯＮ／ＯＦＦスイッチ２５がＯＮかＯＦＦかの確認を行い、ＯＮの場合はステップＳ２１２に進み、ＯＦＦの場合はステップＳ２１８に進む。
【００３９】
ステップＳ２１２では、距離設定部２３で設定された、主被写体４０とＡＦ被写体４２の間の設定距離αと、速度設定部２４で設定された設定速度Ａを取得し、ステップＳ２１３に進む。
【００４０】
ステップＳ２１３の動作は、実施例１で示したステップＳ１０６と同一の動作を行う。第１の実施例においては、駆動フォーカス位置は、ＡＦフォーカス位置に対するオフセット量である設定距離αをＡＦフォーカス位置に加算して算出した。第２の実施例においては、設定距離αに加減算距離βを加味した距離値ａ、
距離値ａ＝設定距離α＋加減算距離β
をオフセット距離として、ＡＦフォーカス位置に加算して主被写体に対する駆動フォーカス位置を演算する。加減算距離βに関しては、以下に示すステップＳ２１６の動作説明にて詳細を説明する。
【００４１】
ステップＳ２１４では、ステップＳ２１１で求めた主被写体フォーカス位置と、ステップＳ２１３で求めた駆動フォーカス位置の差分を演算する。演算した値が、所定の範囲内の場合、すなわち、（距離値ａ±移動幅許容値γ）の範囲内である場合はステップＳ２１５に進み、それ以外の場合はステップＳ２１７に進む。
【００４２】
ここで用いた移動幅許容値γは、主被写体４０とＡＦ被写体４２の間の距離に生じる最大の変化量を、フォーカス移動群１の位置の差分量に変換した値であり、任意に設定することが可能である。ステップＳ２１４で演算した値が、移動幅許容値γ以内の場合はステップＳ２１１で求めた主被写体フォーカス位置は、主被写体が測距された結果に基づく位置であると判断できる。
【００４３】
また、ここではステップＳ２１３で求めた駆動フォーカス位置との比較を行ったが、実施例１のステップＳ１０６の方法で求めた駆動フォーカス位置との比較を行っても良い。
【００４４】
ステップＳ２１５では、フォーカス駆動部２を用いてフォーカス移動群１を駆動する駆動フォーカス位置に主被写体フォーカス位置を設定し、ステップＳ２１６に進む。
ステップＳ２１６では、加減算距離βの演算を行い、ステップＳ２１７に進む。
【００４５】
ここで、加減算距離βを演算する第３の演算手段について説明する。ここでは実施例１のステップＳ１０６で用いた、図５の駆動フォーカス位置を決めるための表に定義されたデータを用いる。この表のフォーカス位置の列から、ＡＦフォーカス位置に相当する部分を選択し、対応する物体距離である物体距離ｂを求める。
次に、その物体距離ｂに設定距離αを加算し、物体距離ｄを求める。
物体距離ｄ＝物体距離ｂ＋設定距離α
また、この表のフォーカス位置の列から主被写体フォーカス位置に相当する部分を選択し、対応する物体距離である物体距離ｃを求める。
ここで求めた物体距離ｄと、物体距離ｃの差分が加減算距離βとなる。
加減算距離β＝物体距離ｃ−物体距離ｄ
＝物体距離ｃ−（物体距離ｂ＋設定距離α）
つまり、以下の演算式が成り立つ。
物体距離ｃ＝物体距離ｂ＋設定距離α＋加減算距離β＝物体距離ｂ＋距離値ａ
物体距離ｄ＝物体距離ｂ＋設定距離α
なお、加減算距離βの初期値は０とする。
また、ここでは表を用いた演算方法を示したが、演算式を用いて加減算距離βを算出しても良い。
【００４６】
ステップＳ２１７では、駆動フォーカス位置に設定速度Ａで、フォーカス駆動部２を用いてフォーカス移動群１を駆動し、ステップＳ２０８に進む。
ここでは常に設定速度Ａでフォーカス移動群１を駆動するが、距離変更ＯＮ／ＯＦＦスイッチ２５が切替った時のみ、設定速度Ａでフォーカス移動群１を駆動し、それ以外の時は通常速度で駆動しても良い。
【００４７】
ステップＳ２１８では、距離変更ＯＮ／ＯＦＦスイッチ２５のＯＦＦ時の動作を確認する。主被写体を選択している時はステップＳ２１９に進み、それ以外の時はステップＳ２０５に進む。
【００４８】
ステップＳ２１９では、フォーカス駆動部２を用いてフォーカス移動群１を駆動する駆動フォーカス位置に主被写体フォーカス位置を設定し、ステップＳ２１７に進む。ここで駆動フォーカス位置を主被写体フォーカス位置とすることで、距離変更ＯＮ／ＯＦＦスイッチ２５がＯＦＦの時に、主被写体４０を対象にオートフォーカスを用いて合焦動作を行うことが可能となる。
【００４９】
ステップＳ２０５では、フォーカス駆動部２を用いてフォーカス移動群１を駆動する駆動フォーカス位置に、ステップ２０２で決定したＡＦフォーカス位置を設定し、ステップＳ２１７に進む。ここで駆動フォーカス位置をＡＦフォーカス位置とすることで、距離変更ＯＮ／ＯＦＦスイッチ２５がＯＦＦの時に、ＡＦ被写体４２を対象にオートフォーカスを用いて合焦動作を行うことが可能となる。
【００５０】
ステップＳ２０８では、フォーカス駆動処理を終了する。
【００５１】
このように処理を行うことにより、距離変更ＯＮ／ＯＦＦスイッチ２５がＯＮの時は、合焦が困難な被写体である主被写体４０に対し、容易に合焦することが可能となる。さらに、主被写体４０とＡＦ被写体４２の間の距離が変化した時も、常に主被写体４０に合焦し続けることが可能となる。また、距離変更ＯＮ／ＯＦＦスイッチ２５がＯＦＦの時は、一般的な動作である、主被写体枠内、又はＡＦ被写体枠内の物体に合焦することが可能となる。また、速度設定部２４の設定を変更することで、所望の速度でフォーカス移動群１を駆動することが可能となる。
【００５２】
本発明によれば、合焦が困難な被写体と容易な被写体の間の距離を設定し、容易な被写体に対しオートフォーカス動作を行った後、設定した距離を考慮した位置にフォーカス移動群を移動する。それにより、オートフォーカスを用いて合焦が困難な被写体に対し、合焦した映像を容易に撮影することを可能にした、オートフォーカスを有する光学装置を提供することができる。
【００５３】
以上、本発明の好ましい実施形態について説明したが、本発明はこれらの実施形態に限定されず、その要旨の範囲内で種々の変形及び変更が可能である。
【符号の説明】
【００５４】
１  フォーカス移動群
２  フォーカス駆動部
３  フォーカス位置検出部
１１  焦点状態検出部
２０  演算部
２３  距離設定部
【図１】
2011154283.tif 000003
【図２】
2011154283.tif 000004
【図３】
2011154283.tif 000005
【図４】
2011154283.tif 000006
【図５】
2011154283.tif 000007
【図６】
2011154283.tif 000008
【図７】
2011154283.tif 000009
【図８】
2011154283.tif 000010
【図９】
2011154283.tif 000011